(57)【特許請求の範囲】
【請求項１】
映像音声信号を収録する少なくとも１台の収録デバイスと、
収録すべきイベントに関して、少なくとも収録日時及び収録素材長と、収録先の収録デバイスを特定する収録管理情報が入力されると、収録のスケジュールを描画した収録作業画面を表示すると共に、入力された収録管理情報に基づいて、該当する収録デバイスに映像音声信号を収録する制御端末とを備え、
前記制御端末は、入力された収録管理情報に基づいて、現在時刻及び現在時刻の前後の所定の範囲におけるイベントの状態を描画したイベント状態アイコンを、前記収録作業画面のスクロールと非連動で表示する制御プログラムを実行し、前記収録作業画面として収録のスケジュールを時系列で描画した収録デバイス毎のタイムチャートに並べて、前記イベント状態アイコンを各収録デバイス毎に表示する
収録システム。
【請求項２】
映像音声信号を収録する少なくとも１台の収録デバイスと、
収録すべきイベントに関して、少なくとも収録日時及び収録素材長と、収録先の収録デバイスを特定する収録管理情報が入力されると、収録のスケジュールを描画した収録作業画面を表示すると共に、入力された収録管理情報に基づいて、該当する収録デバイスに映像音声信号を収録する制御端末とを備え、
前記制御端末は、入力された収録管理情報に基づいて、現在時刻及び現在時刻の前後の所定の範囲におけるイベントの状態を描画したイベント状態アイコンを、前記収録作業画面のスクロールと非連動で表示する制御プログラムを実行し、収録すべきイベント毎の収録のスケジュールを時系列で描画したタイムチャートを縮小して、前記イベント状態アイコンに表示する
収録システム。
【請求項３】
コンピュータを、
収録すべきイベントに関して、少なくとも収録日時及び収録素材長と、収録先の収録デバイスを特定する収録管理情報に基づいて、現在時刻及び現在時刻の前後の所定の範囲におけるイベントの状態を描画したイベント状態アイコンを、前記収録管理情報に基づいて収録のスケジュールを描画した収録作業画面の時間軸方向のスクロールと非連動で表示する手段と、
前記収録作業画面として収録のスケジュールを時系列で描画した収録デバイス毎のタイムチャートに並べて、前記イベント状態アイコンを各収録デバイス毎に表示する手段として
機能させるための制御プログラム。
【請求項４】
コンピュータを、
収録すべきイベントに関して、少なくとも収録日時及び収録素材長と、収録先の収録デバイスを特定する収録管理情報に基づいて、現在時刻及び現在時刻の前後の所定の範囲におけるイベントの状態を描画したイベント状態アイコンを、前記収録管理情報に基づいて収録のスケジュールを描画した収録作業画面の時間軸方向のスクロールと非連動で表示する手段と、
収録すべきイベント毎の収録のスケジュールを時系列で描画したタイムチャートを縮小して、前記イベント状態アイコンに表示する手段として
機能させるための制御プログラム。
【請求項５】
コンピュータを、
収録すべきイベントに関して、少なくとも収録日時及び収録素材長と、収録先の収録デバイスを特定する収録管理情報に基づいて、現在時刻及び現在時刻の前後の所定の範囲におけるイベントの状態を描画したイベント状態アイコンを、前記収録管理情報に基づいて収録のスケジュールを描画した収録作業画面の時間軸方向のスクロールと非連動で表示する手段と、
前記収録作業画面として収録のスケジュールを時系列で描画した収録デバイス毎のタイムチャートに並べて、前記イベント状態アイコンを各収録デバイス毎に表示する手段として
機能させるためのプログラムを記録したコンピュータ読み取り可能な記録媒体。
【請求項６】
コンピュータを、
収録すべきイベントに関して、少なくとも収録日時及び収録素材長と、収録先の収録デバイスを特定する収録管理情報に基づいて、現在時刻及び現在時刻の前後の所定の範囲におけるイベントの状態を描画したイベント状態アイコンを、前記収録管理情報に基づいて収録のスケジュールを描画した収録作業画面の時間軸方向のスクロールと非連動で表示する手段と、
収録すべきイベント毎の収録のスケジュールを時系列で描画したタイムチャートを縮小して、前記イベント状態アイコンに表示する手段として
機能させるためのプログラムを記録したコンピュータ読み取り可能な記録媒体。
【発明の詳細な説明】
【技術分野】
【０００１】
本発明は、収録すべきイベントに関して、収録日時及び収録素材長と、収録先の収録デバイス等を特定する収録管理情報が入力され、収録管理情報に従って収録デバイスに映像音声信号を収録する収録システム、収録システムに組み込まれる制御プログラム及び制御プログラムが格納された記録媒体に関する。詳しくは、現在時刻を含む前後の所定の範囲におけるイベントの状態を描画したイベント状態アイコンを、各イベントの収録のスケジュールを描画した収録作業画面のスクロールと非連動で表示することで、各イベントの現在時刻付近における状態を常時把握できるようにしたものである。
【背景技術】
【０００２】
ＶＴＲ（ビデオテープレコーダ）等のデバイスを制御して、映像音声信号を自動で収録する収録システムでは、収録日時、収録素材長、収録デバイス等の各種情報を収録リストやタイムチャートで表示することにより、その収録予定や収録情報をオペレータに判り易く表現することは必須である。
【０００３】
通常、オペレータは、制御端末のＧＵＩ（Graphical User Interface）上に表示される収録リストやタイムチャート表示でシステムの稼動状態を監視する。
【０００４】
２４時間、３６５日無停止で稼動するシステムの場合、収録リストに登録される収録イベント数は多く、１画面内に表示できるイベント数には限りがある。
【０００５】
このような場合、収録リストやタイムチャートをスクロールすることにより、登録してある全てのイベントを確認することができるようにしていた（例えば、特許文献１参照）。
【０００６】
【特許文献１】特開平９−４４５２４号公報
【発明の開示】
【発明が解決しようとする課題】
【０００７】
しかし、収録リストやタイムチャートのスクロール操作を行うと、他のページを表示している間は、現在時刻付近のイベント状態が確認できなくなるという問題があった。
【０００８】
本発明は、このような課題を解決するためになされたもので、収録すべきイベントの現在時刻付近における状態を常に把握できるようにした収録システム、収録システムに組み込まれる制御プログラム及び制御プログラムを格納した記録媒体を提供することを目的とする。
【課題を解決するための手段】
【０００９】
上述した課題を解決するため、本発明の収録システムは、映像音声信号を収録する少なくとも１台の収録デバイスと、収録すべきイベントに関して、少なくとも収録日時及び収録素材長と、収録先の収録デバイスを特定する収録管理情報が入力されると、収録のスケジュールを描画した収録作業画面を表示すると共に、入力された収録管理情報に基づいて、該当する収録デバイスに映像音声信号を収録する制御端末とを備え、制御端末は、入力された収録管理情報に基づいて、現在時刻及び現在時刻の前後の所定の範囲におけるイベントの状態を描画したイベント状態アイコンを、収録作業画面のスクロールと非連動で表示する制御プログラムが実行されることを特徴とする。
制御端末は、収録作業画面として収録のスケジュールを時系列で描画した収録デバイス毎のタイムチャートに並べて、イベント状態アイコンを各収録デバイス毎に表示することが好適である。
また、収録すべきイベント毎の収録のスケジュールを時系列で描画したタイムチャートを縮小して、イベント状態アイコンに表示することが好適である。
【００１０】
本発明の収録システムでは、制御端末において自動収録のための制御プログラムが稼働している。収録すべきイベントの収録日時、収録素材長及び収録先の収録デバイス等の収録管理情報が制御端末に入力されると、制御端末は、入力された収録管理情報に基づいて、収録すべきイベントの収録日時及び収録素材長等を、収録デバイス毎に時系列で表示するタイムチャート等、収録のスケジュールを描画した収録作業画面を表示する。また、制御端末は、現在時刻を含む前後の所定の範囲におけるイベントの状態を描画したイベント状態アイコンを画面に表示する。
【００１１】
制御端末は、時間の経過やオペレータの操作に従いタイムチャートを時間軸方向にスクロールして、表示する範囲の切り替えを行う。これに対して、イベント状態アイコンは、タイムチャートのスクロールとは連動させず、常時現在時刻付近のイベントの状態を表示する。
【００１２】
そして、制御端末は、入力された収録管理情報に基づいて収録デバイスを制御して、所定の収録デバイスに映像音声信号を収録すると共に、収録の進捗に応じて、イベント状態アイコンの表示を切り替える。
【００１３】
本発明の制御プログラムは、コンピュータを、収録すべきイベントに関して、少なくとも収録日時及び収録素材長と、収録先の収録デバイスを特定する収録管理情報に基づいて、現在時刻及び現在時刻の前後の所定の範囲におけるイベントの状態を描画したイベント状態アイコンを、前記収録管理情報に基づいて収録のスケジュールを描画した収録作業画面の時間軸方向のスクロールと非連動で表示する手段として機能させることを特徴とする。
制御プログラムは、コンピュータを、収録作業画面として収録のスケジュールを時系列で描画した収録デバイス毎のタイムチャートに並べて、イベント状態アイコンを各収録デバイス毎に表示する手段として機能させることが好適である。
また、収録すべきイベント毎の収録のスケジュールを時系列で描画したタイムチャートを縮小して、イベント状態アイコンに表示する手段として機能させることが好適である。
【００１４】
また、本発明の記録媒体は、上述した収録システムで実行される制御プログラムが格納される記録媒体であって、コンピュータを、収録すべきイベントに関して、少なくとも収録日時及び収録素材長と、収録先の収録デバイスを特定する収録管理情報に基づいて、現在時刻及び現在時刻の前後の所定の範囲におけるイベントの状態を描画したイベント状態アイコンを、収録管理情報に基づいて収録のスケジュールを描画した収録作業画面の時間軸方向のスクロールと非連動で表示する手段として機能させるための制御プログラムが格納されたことを特徴とする。
記録媒体に格納された制御プログラムは、コンピュータを、収録作業画面として収録のスケジュールを時系列で描画した収録デバイス毎のタイムチャートに並べて、イベント状態アイコンを各収録デバイス毎に表示する手段として機能させることが好適である。
また、収録すべきイベント毎の収録のスケジュールを時系列で描画したタイムチャートを縮小して、イベント状態アイコンに表示する手段として機能させることが好適である。
【００１５】
本発明の制御プログラム及び記録媒体は、映像音声信号を収録する１台もしくは複数台の収録デバイスを制御する制御端末に組み込まれる。収録すべきイベントの収録日時、収録素材長及び収録先の収録デバイス等の収録管理情報が制御端末に入力されると、入力された収録管理情報に基づいて、収録すべきイベントの収録日時及び収録素材長等を、収録デバイス毎に時系列で表示するタイムチャート等、収録のスケジュールを描画した収録作業画面を表示する。また、現在時刻を含む前後の所定の範囲におけるイベントの状態を特定するイベント状態アイコンを画面に表示する。
【００１６】
制御端末では、時間の経過やオペレータの操作にタイムチャートが時間軸方向にスクロールして、表示する範囲の切り替えが行われる。これに対して、イベント状態アイコンでは、タイムチャートのスクロールとは連動させずに、常に現在時刻付近のイベントの状態を表示する。
【００１７】
そして、制御端末では、入力された収録管理情報に基づいて収録デバイスが制御され、所定の収録デバイスに映像音声信号が収録されると共に、収録の進捗に応じて、イベント状態アイコンの表示を切り替える。
【発明の効果】
【００１８】
本発明によれば、収録すべき各イベントの収録のスケジュールを描画した収録作業画面で、現在時刻付近以外を表示している状態でも、イベント状態アイコンでは、現在時刻付近における各イベントの状態が表示されるので、各イベントの現在時刻付近における状態を、常時把握することが可能となる。
【００１９】
イベント状態アイコンでは、収録すべきイベントの収録開始時刻や収録残時間、収録デバイスがスタンバイ中か収録中であるか等の情報を容易に確認することが可能であり、オペレータのシステム監視業務の効率化を図ることが可能となる。
【発明を実施するための最良の形態】
【００２０】
以下、図面を参照して本発明の収録システム、制御プログラム及び記録媒体の実施の形態について説明する。
【００２１】
＜本実施の形態の収録システムの全体構成例＞
図１は本実施の形態の収録システムの一例を示す機能ブロック図、図２は本実施の形態の収録システム１Ａで表示される収録作業画面の一例を示す説明図である。本実施の形態の収録システム１Ａは、映像音声信号を収録する１台もしくは複数台のビデオテープレコーダ（ＶＴＲ）２と、映像音声信号が配信される回線３の経路を切り替えるマトリックススイッチャ４と、ビデオテープレコーダ２とマトリックススイッチャ４を制御して、映像音声信号を自動収録する制御端末５を備える。
【００２２】
ビデオテープレコーダ２は収録デバイスの一例で、本例では４台のビデオテープレコーダ（ＶＴＲ−Ａ〜Ｄ）２を備える。マトリックススイッチャ４は回線切替手段の一例で、各ビデオテープレコーダ２と接続され、映像音声信号を供給する回線３を切り替える。
【００２３】
制御端末５は、収録すべきイベントの収録開始日時、素材長、収録回線及びデバイス種別等が指定される収録管理情報に基づいて、図２に示す収録作業画面５１を表示し、映像音声信号を自動で収録する制御を行う自動収録アプリケーションを実行する制御装置６を備える。
【００２４】
また、制御端末５は、マウス７ａ等のポインティングデバイスと、キーボード７ｂ等で構成され、収録管理情報等を入力する操作が行われる入力装置７と、液晶ディスプレイ等で構成され、収録管理情報に基づいて自動収録アプリケーションで作成した収録作業画面５１が表示される表示装置８を備える。
【００２５】
制御装置６は、インタフェース（Ｉ／Ｆ）９ａを介して入力装置７と表示装置８が接続され、インタフェース９ｂを介してマトリックススイッチャ４が接続され、インタフェース９ｃを介して各ビデオテープレコーダ２が接続される。
【００２６】
また、制御装置６は、ＣＰＵ（central processing unit）１０、メモリ１１及びハードディスク装置（ＨＤＤ）１２等を備える。
【００２７】
ハードディスク装置１２は記憶手段の一例で、制御端末５にインストールされる制御プログラムの一例である自動収録アプリケーションが格納される。また、ハードディスク装置１２は、入力装置７の操作で入力された収録管理情報等が格納される。
【００２８】
ＣＰＵ１０は、ハードディスク装置１２に格納された自動収録アプリケーションを実行し、収録管理情報に基づいて収録作業画面５１を表示し、収録作業画面５１の表示内容に従って各ビデオテープレコーダ２及びマトリックススイッチャ４を制御して、回線３を経由して配信される映像音声信号を、所定のビデオテープレコーダ２に収録する制御を行う。
【００２９】
＜イベント状態アイコンが表示される収録作業画面の構成例＞
図２に示す収録作業画面５１は、タイムチャート画面５２と、イベント状態アイコン５３と、収録リスト画面５４が表示される。
【００３０】
タイムチャート画面５２は、収録すべきイベントの収録日時及び収録素材長等を示す収録時間帯情報５５ａを時系列に並べてなるタイムチャート５５を、収録先となるビデオテープレコーダ２毎に表示する。
【００３１】
タイムチャート画面５２では、画面の横方向に時間軸を示し、時間の経過に連動して、現在時刻Ｔ１を示すバーの位置を固定した状態で、各収録時間帯情報５５ａが時間軸方向にスクロールする。また、入力装置７のマウス７ａ等でスクロールボタン５２ａあるいはスクロールバー５２ｂが操作されると、時間の経過と非連動で、全タイムチャート５５が時間軸方向にスクロールする。
【００３２】
また、タイムチャート画面５２では、画面の縦方向に収録先のビデオテープレコーダ２の種別毎のタイムチャート５５を示し、入力装置７のマウス７ａ等でスクロールボタン５２ｃあるいはスクロールバー５２ｄが操作されると、収録先毎にタイムチャート５５がスクロールする。
【００３３】
更に、タイムチャート画面５２では、時間の経過に応じて収録時間帯情報５５ａの表示色が切り替えられる。ここで、図面上では、表示色を網掛け等で模式的に図示して区別している。
【００３４】
タイムチャート画面５２では、例えば、収録開始までに所定以上の時間が空いているビデオテープレコーダ２に対応した収録時間帯情報５５ａは、青色で表示される。
【００３５】
これに対して、収録開始直線でスタンバイ中のビデオテープレコーダ２に対応した収録時間帯情報５５ａは、表示色が青色から例えば緑色に切り替えられる。
【００３６】
そして、収録を開始したビデオテープレコーダ２に対応した収録時間帯情報５５ａは、表示色が緑色から例えば赤色に切り替えられる。
【００３７】
なお、メンテナンス等で稼働を停止しているビデオテープレコーダ２に対応した収録時間帯情報５５ａは、灰色で表示される。
【００３８】
イベント状態アイコン５３は、タイムチャート画面５２において、収録先となるビデオテープレコーダ２毎にタイムチャート５５に対応させて表示され、状態表示部５６と、縮小タイムチャート表示部５７から構成される。
【００３９】
図３はイベント状態アイコン５３の一例を示す説明図である。状態表示部５６は、収録先となるビデオテープレコーダ２を特定するビデオテープレコーダ名５６ａと、ビデオテープレコーダ２の稼働状態を示す状態表示記号５６ｂが表示される。
【００４０】
状態表示記号５６ｂは、ビデオテープレコーダ２が収録中か停止しているか等を表示しており、一例として、収録中は「○」、収録停止でスタンバイ中は「■」、収録停止で稼働停止中は「×」で表示している。
【００４１】
また、状態表示部５６は、図２で説明したタイムチャート画面５２の収録時間帯情報５５ａの表示色の切り替えと連動させて、時間の経過に応じてアイコン全体の表示色が切り替えられる。例えば、収録開始までに所定以上の時間が空いているビデオテープレコーダ２に対応したイベント状態アイコン５３は、青色で表示される。
【００４２】
これに対して、収録開始直線でスタンバイ中のビデオテープレコーダ２に対応したイベント状態アイコン５３は、表示色が青色から例えば緑色に切り替えられる。
【００４３】
そして、収録を開始したビデオテープレコーダ２に対応したイベント状態アイコン５３は、表示色が緑色から例えば赤色に切り替えられる。
【００４４】
更に、メンテナンス等で稼働を停止しているビデオテープレコーダ２に対応したイベント状態アイコン５３は、灰色で表示される。なお、アイコン等の表示色は一例であり、上記例に限るものではない。
【００４５】
縮小タイムチャート表示部５７は、図２に示すタイムチャート画面５２における所定時間分のタイムチャート５５を縮小して、該当するビデオテープレコーダ２に収録すべきイベントの収録日時及び収録素材長を示した縮小表示収録時間帯情報５７ａが表示されると共に、タイムカウンタ５７ｂが表示される。
【００４６】
縮小タイムチャート表示部５７では、画面の横方向を時間軸として、本例では左端が現在時刻Ｔ１を示し、現在時刻以降、例えば４時間分のタイムチャート５５を縮小表示している。縮小表示収録時間帯情報５７ａは、現在時刻Ｔ１からの距離（長さ）によって、収録開始時間及び収録終了時間の目安を示し、また、縮小表示収録時間帯情報５７ａ自体の長さによって、収録素材長（収録時間）を示す。そして、時間の経過に連動して長さ及び表示位置が変位する。
【００４７】
ここで、縮小表示収録時間帯情報５７ａでも、タイムチャート画面５２と連動させて時間の経過に応じて表示色が切り替えられる。図３（ａ）に示すイベント状態アイコン５３において、収録開始までに所定以上の時間が空いているイベントに対応した縮小表示収録時間帯情報５７ａ（１）は、例えば青色で表示される。
【００４８】
これに対して、図３（ｂ）に示すイベント状態アイコン５３のように、収録開始直前のイベントに対応した縮小表示収録時間帯情報５７ａ（２）は、表示色が青色から例えば緑色に切り替えられる。
【００４９】
そして、図３（ａ）に示すイベント状態アイコン５３において、収録を開始したイベントに対応した縮小表示収録時間帯情報５７ａ（３）は、表示色が緑色から例えば赤色に切り替えられる。
【００５０】
タイムカウンタ５７ｂは、イベント収録前は収録開始までの時間を表示し、イベント収録中は収録終了までの時間を表示する。また、時間の経過に伴って、縮小表示収録時間帯情報５７ａとタイムカウンタ５７ｂの表示が重なると、タイムカウンタ５７ｂの表示色を切り替えて、タイムカウンタ５７ｂの視認性を確保するようにしても良い。
【００５１】
上述したように、イベント状態アイコン５３は、タイムチャート画面５２において、収録先となるビデオテープレコーダ２毎にタイムチャート５５に対応させて表示されており、状態表示部５６及び縮小タイムチャート表示部５７の表示内容から、収録すべきイベントの、現在時刻付近における状態が把握可能となる。
【００５２】
収録リスト画面５４は、図２に示すように、収録すべきイベントの収録開始時間（Start Time）、収録終了時間（End Time）、収録先となるビデオテープレコーダ名（Recorder）及びイベントタイトル（Name）等を並べたリスト５８の一覧を、収録すべきイベント毎に時系列で表示する。
【００５３】
収録リスト画面５４では、画面の縦方向にイベント毎のリスト５８を示し、入力装置７のマウス７ａ等でスクロールボタン５４ａあるいはスクロールバー５２ｂが操作されると、イベント毎にリスト５８がスクロールする。
【００５４】
収録リスト画面５４でも、時間の経過に応じてイベント毎にリスト５８の表示色が切り替えられる。ここで、図面上では、表記の煩雑さを防ぐため、網掛け等による表示色の区別はしていない。
【００５５】
収録リスト画面５４では、例えば、収録開始までに所定以上の時間が空いているイベントのリスト５８は青色で表示される。
【００５６】
これに対して、収録開始直前でスタンバイ中のイベントのリスト５８は、表示色が青色から例えば緑色に切り替えられる。そして、収録を開始したイベントのリスト５８は、表示色が緑色から例えば赤色に切り替えられる。なお、収録日時が確定していないイベントのリスト５８は、例えば灰色で表示される。
【００５７】
＜本実施の形態の収録システムのハードウエア構成例＞
図４は本実施の形態の収録システム１Ａのハードウエア構成例を示すブロック図で、次に、収録システム１Ａにおけるハードウエア構成の具体例を説明する。
【００５８】
収録システム１Ａは、図１で説明したように、回線３を経由して配信された映像音声信号を収録する複数台のビデオテープレコーダ２と、映像音声信号の供給先を切り替えて、所定の映像音声信号を所定のビデオテープレコーダ２等に供給するマトリックススイッチャ４を備える。
【００５９】
また、収録システム１Ａは、回線３を経由して配信された映像音声信号等から、複数の映像を例えば１台のＬＣＤ（Liquid Crystal Display）モニタ２１で表示させる画面分割装置２２を備える。
【００６０】
収録システム１Ａは、回線３として、ＨＤ回線３ａとＳＤ回線３ｂが接続される。ＨＤ回線３ａは、収録素材の映像音声信号が、ＨＤ信号（ハイビジョンビデオ信号）で伝送される。ＳＤ回線３ｂは、収録素材の映像音声信号が、ＳＤ信号（標準ビデオ信号）で伝送される。
【００６１】
ＨＤ回線３ａは、分配器２３に接続される。分配器２３は、入力された映像音声信号を複数の分配先、本例ではマトリックススイッチャ４と画面分割装置２２に分配する。ＳＤ回線３ｂは、アップコンバータ２４に接続される。アップコンバータ２４は、入力されたＳＤ信号をＨＤ信号に変換してマトリックススイッチャ４と画面分割装置２２に出力する。
【００６２】
マトリックススイッチャ４は、複数の入力端子４ａと複数の出力端子４ｂを有し、ＨＤ回線３ａ及びアップコンバータ２４を介したＳＤ回線３ｂが所定の入力端子４ａに接続され、図１で説明した制御端末５の制御によって、映像音声信号を出力する出力端子４ｂが切り替えられて、映像音声信号を伝送する経路が切り替えられる。
【００６３】
また、マトリックススイッチャ４は、カラーバー等の基準信号を発生するシグナルジェネレータ２５の出力が、所定の入力端子４ａに接続され、基準信号が任意の出力端子４ｂから出力される。
【００６４】
ビデオテープレコーダ２は、映像音声信号が入力される入力端子２ａが、マトリックススイッチャ４の所定の出力端子４ｂに接続され、図１で説明した制御端末５の制御によって、マトリックススイッチャ４を介して供給された映像音声信号を収録する。
【００６５】
また、ビデオテープレコーダ２は、映像音声信号が出力される所定の出力端子２ｂが、マトリックススイッチャ４の所定の入力端子４ａに接続される。これにより、マトリックススイッチャ４では、所定のビデオテープレコーダ２から出力された映像音声信号が、任意の出力端子４ｂから出力される。
【００６６】
画面分割装置２２は、複数の入力端子２２ａを有し、ＬＣＤモニタ２１の画面を入力端子２２ａの数に応じた所定数、本例では１６分割して、入力された各信号を１画面で表示させる映像信号を出力端子２２ｂから出力する。
【００６７】
画面分割装置２２の所定の入力端子２２ａには、分配器２３で分岐されたＨＤ回線３ａと、アップコンバータ２４でＳＤ信号がＨＤ信号に変換されたＳＤ回線３ｂと、シグナルジェネレータ２５の出力が接続される。また、各ビデオテープレコーダ２の所定の出力端子２ｂと、マトリックススイッチャ４のモニタ用の出力端子４ｂが接続される。
【００６８】
画面分割装置２２の出力端子２２ｂには、ＬＣＤモニタ用のマルチフォーマットエンジンユニット２６に接続される。マルチフォーマットエンジン２６は、ＬＣＤモニタ２１を駆動して、回線３を経由して配信された映像音声信号や、各ビデオテープレコーダ２で収録された映像音声信号から、複数の映像を１画面で表示させる。
【００６９】
なお、各ビデオテープレコーダ２は、入力端子２ａと接続された入力モニタ用の出力端子２ｂがノンリニア編集機２７に接続され、マトリックススイッチャ４で所定のビデオテープレコーダ２に供給された映像音声信号が、ノンリニア編集機２７でも収録される。
【００７０】
また、マトリックススイッチャ４の所定の出力端子４ｂに、波形モニタ２８及びビデオモニタ２９が接続され、マトリックススイッチャ４で所望の系統の映像音声信号が選択されて、波形モニタ２８及びビデオモニタ２９に出力される。
【００７１】
次に、収録システム１Ａにおける映像音声信号の流れについて説明する。ＨＤ回線３ａ及びＳＤ回線３ｂを経由して配信された映像音声信号は、ＨＤ信号の場合は分配器２３を経由して、マトリックススイッチャ４と画面分割装置２２に入力される。
【００７２】
ＳＤ信号の場合は、アップコンバータ２４でＨＤ信号に変換後、マトリックススイッチャ４と画面分割装置２２に入力される。
【００７３】
ＨＤ信号に統一され、マトリックススイッチャ４に入力された映像音声信号は、制御端末５で指定されたビデオテープレコーダ２に入力され収録される。ここで、ビデオテープレコーダ２への入力を、ノンリニア編集機２７へ入力する接続形態とすることで、運用によっては、ビデオテープレコーダ２で収録する映像音声信号をノンリニア編集機２７でも収録して、すぐに編集業務に取り掛かることが可能である。
【００７４】
また、画面分割装置２２に入力された映像音声信号は、マルチフォーマットエンジンユニット２６を経由して、ＬＣＤモニタ２１に表示され、映像の監視として用いられる。
【００７５】
更に、制御端末５からの制御で、マトリックススイッチャ４によって各系統の映像音声信号を選択し、波形モニタ２８やビデオモニタ２９で細かなチェックを行うことも可能である。
【００７６】
＜本実施の形態の収録システムのソフトウエア構成例＞
図５は本実施の形態の収録システム１Ａのソフトウエア構成例を示すブロック図で、次に、収録システム１Ａにおけるソフトウエア構成の具体例を説明する。
【００７７】
収録システム１Ａでは、指定した日時に、指定した回線３からの映像音声信号を、指定したビデオテープレコーダ２に自動で収録するために、自動収録アプリケーション３１を実行する制御端末５が接続されている。
【００７８】
制御端末５は、ビデオテープレコーダ２及びマトリックススイッチャ４を制御するために、ＧＤＣ（General Device Controller）基板３２が装着される。ＧＤＣ基板３２は、フレーム精度でリアルタイム制御が可能なデバイスコントローラである。
【００７９】
ＧＤＣ基板３２にはタイムコードが入力され、正確な時刻のリファレンスにしている。ビデオテープレコーダ２及びマトリックススイッチャ４の制御は、シリアル通信規格の１つであるＲＳ−４２２経由で行われる。
【００８０】
制御端末５は、ＧＤＣ基板ドライバ３３、ＧＤＣ基板ドライバ制御ＤＬＬ（Dynamic Link Library）３４及びデバイス制御コンポーネント（ＤＣＯＭ：分散ＣＯＭ）３５の各ドライバ群が常駐しており、所定のＯＳ（Operating System）３６で実行される自動収録アプリケーション３１からのデバイス制御コマンドとＧＤＣ基板３２間の処理を整理している。
【００８１】
自動収録アプリケーション３１は、ＣＤ−ＲＯＭやＤＶＤ−ＲＯＭ等のプログラムを記録したコンピュータ読み取り可能な記録媒体により提供され、制御端末５にインストールされて例えば図１に示すハードディスク装置１２に格納されることで、制御端末５のＣＰＵ１０によって、自動収録アプリケーション３１が実行される。
【００８２】
図６は自動収録アプリケーションで実行される画面描画処理の一例を示すフローチャート、図７は自動収録アプリケーションで実行されるデバイス制御処理の一例を示すフローチャートであり、次に、収録システム１Ａにおける自動収録制御について説明する。
【００８３】
収録システム１Ａでは、制御端末５において自動収録アプリケーション３１を常時稼働させることで、自動収録アプリケーション３１は、図２で説明した収録作業画面５１の描画処理を実行し、収録すべきイベントに関する収録管理情報が新たに登録されると、収録作業画面５１を更新する。
【００８４】
また、収録作業画面５１に従ってスケジュール管理を実行し、図１等で説明したビデオテープレコーダ２とマトリックススイッチャ４等のデバイス制御を処理を行い、映像音声信号を収録する。
【００８５】
まず、収録作業画面５１の描画処理について、図６のフローチャート等を参照して説明する。
【００８６】
ＳＡ１：自動収録アプリケーション３１を起動すると、制御端末５では初期処理が行われる。すなわち、制御端末５では、環境ファイルを読み込み、図１等で説明したビデオテープレコーダ２及びマトリックススイッチャ４等のハードウエアとの接続処理を行う。また、ハードディスク装置１２に格納された収録管理情報を取り込み、収録管理情報に基づいて、図２で説明した収録作業画面５１の初期画面の描画処理等を行う。
【００８７】
ＳＡ２：自動収録アプリケーション３１は、図１で説明したマウス７ａやキーボード７ｂによりメニュー操作が行われたか監視する。
【００８８】
ＳＡ３：マウス７ａやキーボード７ｂによりメニュー操作が行われると、制御端末５では、収録すべきイベントの登録やパラメータ設定、ソフトウエアの終了等、各種メニュー操作が行われる。例えば、収録すべきイベントを登録する際には、映像音声信号の収録開始時刻や収録終了時刻等の収録日時、収録素材長、収録先となるビデオテープレコーダ等を指定した収録管理情報が入力される。
【００８９】
ＳＡ４：自動収録アプリケーション３１は、マウス７ａの操作により、日付変更やタイムスケール変更等、収録管理情報の登録内容を変更するボタントリガが発生したかを監視する。
【００９０】
ＳＡ５：マウス７ａの操作により、日付変更やタイムスケール変更等のボタントリガが発生すると、制御端末５では、マウス操作に応じた処理が行われる。
【００９１】
ＳＡ６：自動収録アプリケーション３１は、登録された収録管理情報等を参照して、図２に示す収録作業画面５１の画面描画を行う。制御端末５では、収録管理情報の更新に応じて、タイムチャート画面５２と収録リスト画面５４が常に最新の状態に更新される。
【００９２】
ＳＡ７：自動収録アプリケーション３１は、タイムチャート画面５２及び収録リスト画面５４を描画する収録管理情報から、収録すべきイベントの収録長等、タイムチャートの時間スケールを縮尺し、収録先となるビデオテープレコーダ２に対応したイベント状態アイコン５３の図３で説明した縮小タイムチャート表示部５７を描画する。縮小タイムチャート表示部５７では、収録すべきイベントの収録日時及び収録素材長に応じた縮小表示収録時間帯情報５７ａが表示される。また、イベントが収録前であれば収録開始までの時間、収録中であれば収録の残時間がタイムカウンタ５７ｂに表示される。
【００９３】
自動収録アプリケーション３１は、制御端末５によるデバイス制御処理を行うため、上述した収録作業画面５１の描画処理と別スレッドによるスケジュール管理を実行している。スケジュール管理では、自動収録アプリケーション３１はトリガ待ちのアイドル状態である。
【００９４】
次に、デバイス制御処理について、図７のフローチャート等を参照して説明する。
【００９５】
ＳＢ１：自動収録アプリケーション３１は、スケジュール管理では、現在時刻の取り込み処理を行う。
【００９６】
ＳＢ２：自動収録アプリケーション３１は、収録管理情報等の時刻パラメータを参照する。
【００９７】
ＳＢ３：自動収録アプリケーション３１は、現在時刻と収録管理情報の時刻パラメータを比較して、収録すべきイベントに関する時刻パラメータが、スタンバイ、収録開始あるいは収録終了等の時刻に達したか判断する。
【００９８】
ＳＢ４：自動収録アプリケーション３１は、収録すべきイベントに関する時刻パラメータが、スタンバイ、収録開始あるいは収録終了等の時刻に達したと判断すると、状態に応じてビデオテープレコーダ２及びマトリックススイッチャ４を制御する。例えば、収録すべきイベントに関する時刻パラメータがスタンバイの時刻となると、マトリックススイッチャ４を制御して、所定の回線３から配信される映像音声信号の回線経路を収録先となるビデオテープレコーダ２へ切り替え、該当ビデオテープレコーダ２を録画準備状態とする。収録すべきイベントに関する時刻パラメータが収録開始の時刻に達したと判断すると、ビデオテープレコーダ２を制御して映像音声信号の収録を開始し、収録終了の時刻に達したと判断すると、ビデオテープレコーダ２を停止して映像音声信号の収録を終了する。
【００９９】
以上説明したように、収録システム１Ａにおいて、制御端末５では自動収録アプリケーション３１が常時稼働している。所定の回線３から配信される映像音声信号を、所定のビデオテープレコーダ２に自動で収録するための収録開始日時、素材長、収録回線及び収録デバイス種別等の収録管理情報は、収録作業画面５１で予め入力され、自動収録アプリケーション３１は、タイムチャート画面５２及び収録リスト画面５４と、イベント状態アイコン５３として画面に表示する。
【０１００】
また、自動収録アプリケーション３１は、現在時刻と収録すべきイベントの収録開始日時を常時監視して、収録開始時刻前には収録制御のための処理を開始する。
【０１０１】
この状態はスタンバイ状態であり、タイムチャート画面５２上の収録時間帯情報５５ａ及びイベント状態アイコン５３は例えば緑色で表現される。
【０１０２】
収録開始時刻には収録が開始されて収録状態となり、タイムチャート画面５２上の収録時間帯情報５５ａ及びイベント状態アイコン５３は例えば赤色で表現される。また、収録中のビデオテープレコーダ２に対応した収録時間帯情報５５ａ及び縮小表示収録時間帯情報５７ａの長さで、素材長（収録時間）を表現している。
【０１０３】
図２に示すように、収録作業画面５１では、タイムチャート画面５２及び収録リスト画面５４によって各イベントの収録状態が確認できる。但し、収録すべきイベント数の多さから、他のイベントを確認するためには、例えばタイムチャート画面５２のスクロールボタン５２ａあるいはスクロールバー５２ｂの操作によってタイムチャート５５を時間軸方向にスクロールさせて、画面のページを切り替える必要が生じる。
【０１０４】
タイムチャート５５を時間軸方向にスクロールさせると、タイムチャート画面５２では、現在時刻付近の各イベントの状態が見えなくなる。これに対して、自動収録アプリケーション３１は、収録作業画面５１の描画処理において、イベント状態アイコン５３を、タイムチャート画面５２の時間軸方向のスクロールと非連動で表示している。
【０１０５】
これにより、イベント状態アイコン５３では、現在時刻及び現在時刻付近のイベントの状態や、収録開始までの時間、収録中であれば収録の残時間を表示しているため、タイムチャート画面５２や収録リスト画面５４をスクロールしても、現在時刻付近のイベントの状態を常に確認することができる。
【０１０６】
このように、本発明による収録システムでは、ビデオテープレコーダ２等の収録デバイスを制御して、映像音声信号を自動で収録する収録システム１Ａにおいて、タイムチャート画面５２や収録リスト画面５４が現在時刻付近以外を表示している状態でも、各ビデオテープレコーダ２に関連した現在時刻付近のイベント情報を、常にイベント状態アイコン５３上に描画することが可能となる。
【０１０７】
このビデオテープレコーダ２毎に描画されるイベント状態アイコンでは、ビデオテープレコーダ２がスタンバイ中か収録中であるか、イベントの収録開始時刻や収録残時間等の重要な情報を一目で確認することが可能であり、オペレータのシステム監視業務の効率化に寄与することが可能となる。
【０１０８】
そして、イベント状態アイコン５３は、制御端末５で実行される自動収録アプリケーションによって表示されるので、既存の収録システムのハードウエア構成を変更することなく対応することが可能であり、安価に提供することができる。
【産業上の利用可能性】
【０１０９】
本発明は、放送局等に設置され、複数の回線から配信される映像音声信号を、所定のビデオテープレコーダ等に自動で収録する収録システムに適用される。
【図面の簡単な説明】
【０１１０】
【図１】本実施の形態の収録システムの一例を示す機能ブロック図ある。
【図２】本実施の形態の収録システムで表示される収録作業画面の一例を示す説明図である。
【図３】イベント状態アイコンの一例を示す説明図である。
【図４】本実施の形態の収録システムのハードウエア構成例を示すブロック図である。
【図５】本実施の形態の収録システムのソフトウエア構成例を示すブロック図である。
【図６】自動収録アプリケーションで実行される画面描画処理の一例を示すフローチャートである。
【図７】自動収録アプリケーションで実行されるデバイス制御制御処理の一例を示すフローチャートである。
【符号の説明】
【０１１１】
１Ａ・・・収録システム、２・・・ビデオテープレコーダ、３・・・回線、４・・・マトリックススイッチャ、５・・・制御端末、６・・・制御装置、７・・・入力装置、８・・・出力表示、９ａ〜９ｃ・・・インタフェース、１０・・・ＣＰＵ、１１・・・メモリ、１２・・・ハードディスク装置、２１・・・ＬＣＤモニタ、２２・・・画面分割装置、２３・・・分配器、２４・・・アップコンバータ、２５・・・シグナルジェネレータ、２６・・・マルチフォーマットエンジンユニット、２７・・・ノンリニア編集機、２８・・・波形モニタ、２９・・・ビデオモニタ、３１・・・自動収録アプリケーション、３２・・・ＧＤＣ基板、３３・・・ＧＤＣ基板ドライバ、３４・・・ＧＤＣ基板ドライバ制御ＤＬＬ、３５・・・デバイス制御コンポーネント、５１・・・収録作業画面、５２・・・タイムチャート画面、５３・・・イベント状態アイコン、５４・・・収録リスト画面、５５・・・タイムチャート、５５ａ・・・収録時間帯情報、５６・・・状態表示部、５６ａ・・・ビデオテープレコーダ名、５６ｂ・・・状態表示記号、５７・・・縮小タイムチャート表示部、５７ａ・・・縮小表示収録時間帯情報、５７ｂ・・・タイムカウンタ
【図１】
0004670671.tif 000002
【図２】
0004670671.tif 000003
【図３】
0004670671.tif 000004
【図４】
0004670671.tif 000005
【図５】
0004670671.tif 000006
【図６】
0004670671.tif 000007
【図７】
0004670671.tif 000008